(57)【要約】【課題】  通話者間の会話内容の食い違いによる問題が発生することのないＩＰ電話装置の提供。【解決手段】  ＩＰ電話部１により通話者が発信相手先にダイヤルすると、ＣＰＵ３は自動通話保存機能がオンであるか否か判断する。ＣＰＵ３は自動通話保存機能がオンであると判断した場合は、ＩＰ電話部１においてＩＰネットワークを介して送受信される音声パケットを時系列にＨＤＤ２に保存する。そして、通話終了後、ＣＰＵ３から保存データにデジタル署名を施した後、保存した保存データを暗号化して処理を終えるようにした（Ｓ１〜Ｓ６）。【選択図】    図２
2006191321.tif 000002
【特許請求の範囲】
【請求項１】
音声データをパケット化して通信を行うＩＰ電話装置において、音声パケットを送受信した際に、通信内容、通話時間、及び通話相手の音声ログを含む通話データを自動保存する保存手段と、該保存手段に保存した前記通話データを表示する表示手段と、を備えたことを特徴とするＩＰ電話装置。
【請求項２】
請求項１記載のＩＰ電話装置において、前記保存手段に前記通話データを保存する際に、保存内容に改竄がないことを証明するデジタル署名を付加するデジタル署名付加手段をさらに備えたことを特徴とするＩＰ電話装置。
【請求項３】
請求項１記載のＩＰ電話装置において、前記保存手段に保存した前記通話データを暗号化する暗号化手段をさらに備えたことを特徴とするＩＰ電話装置。
【請求項４】
請求項１記載のＩＰ電話装置において、前記保存手段に保存した通話データの内、音声ログの音声データを文字データに変換する変換手段と、該変換手段により変換した文字データを出力する出力手段と、を備えたことを特徴とするＩＰ電話装置。
【発明の詳細な説明】
【技術分野】
【０００１】
本発明はインターネット等のネットワークを用いて電話サービスを提供するＩＰ電話装置に関するものである。
【背景技術】
【０００２】
近年、情報ネットワークのＩＰ（Internet Protocol）化が加速する中で、元来の音声をアナログ信号で送受信する電話通信システムからパケット通信システムを用いているＩＰ電話装置やネットワークファクシミリ装置等が普及してきている。
例えば、特許文献１には電話機及びＦＡＸ装置などの複数の送受信手段を同時に利用して通信を行うことができるＩＰネットワーク通信用ファクシミリが開示されている。
また特許文献２には多数の同時受信要求に対して動作効率を損ねることのないネットワークファクシミリが開示されている。
【特許文献１】特開２００２−１０１２５６公報
【特許文献２】特開２００２−３３５３６８公報
【発明の開示】
【発明が解決しようとする課題】
【０００３】
ところで、従来から電話装置等の通話者の音声のみを伝達する装置においては、通話者の聞き間違い等により通話者間で会話の内容に食い違いが発生することがあった。このため、電話装置によっては通話内容の音声データをそのまま録音する録音機能を備えたものがあるが、その殆どは録音時間や録音件数に制約があり、必要な通話内容を録音する事ができなかったり、録音した内容が上書きにより消去されてしまったりして実用的でない。
特に、ＩＰネットワークを利用したＩＰ電話装置では通話内容を記録することができる装置が普及していないのが現状である。
そこで、本発明はこのような実情を鑑みてなされたものであり、通話者間の通話内容を記録することができるＩＰ電話装置を提供することを目的とする。
【課題を解決するための手段】
【０００４】
上記目的を達成するため、請求項１の発明は、音声データをパケット化して通信を行うＩＰ電話装置において、音声パケットを送受信した際に、通信内容、通話時間、及び通話相手の音声ログを含んだ通話データを自動保存する保存手段と、該保存手段に保存した前記通話データを表示する表示手段と、を備えたＩＰ電話装置であることを特徴とする。
また請求項２の発明は、請求項１記載のＩＰ電話装置において、前記保存手段に前記通話データを保存する際に、保存内容に改竄がないことを証明するデジタル署名を付加するデジタル署名付加手段をさらに備えたＩＰ電話装置であることを特徴とする。
また請求項３の発明は、請求項１記載のＩＰ電話装置において、前記保存手段に保存した前記通話データを暗号化する暗号化手段をさらに備えたＩＰ電話装置であることを特徴とする。
また請求項４の発明は、請求項１記載のＩＰ電話装置において、前記保存手段に保存した通話データの内、音声ログの音声データを文字データに変換する変換手段と、該変換手段により変換した文字データを出力する出力手段と、を備えたＩＰ電話装置であることを特徴とする。
【発明の効果】
【０００５】
請求項１の発明によれば、音声パケットを送受信した際に、少なくとも通信内容、通話時間、及び通話相手の音声ログを含んだ通話データを保存手段に自動保存し、必要なときに表示手段により表示できるようにしているので通話者間の会話内容の食い違いによる問題を解決することが出来る。
また請求項２の発明によれば、保存手段に前記通話データを保存する際に、デジタル署名付加手段により保存内容に改竄がないことを証明するデジタル署名を付加すれば、より確実に通話者間の会話内容の食い違いによる問題を解決することが出来る。
また請求項３の発明によれば、保存手段に保存した通話データを暗号化手段により暗号化するようにしているので外部からのハッキング行為等による保存データの漏洩を防止することが出来る。
また請求項４の発明によれば、保存手段に保存した通話データの内、音声ログのデータを変換手段により文字データに変換して出力手段から用紙に印刷して出力すれば、保存手段の保存領域の確保及び用紙による保存が可能になる。
【発明を実施するための最良の形態】
【０００６】
以下、添付図面を参照しながら、本発明の実施の形態を詳細に説明する。
図１は本実施の形態のＩＰ電話装置の構成を示した図である。
この図１に示す本実施の形態のＩＰ電話装置は、ＩＰ電話部１、ハードディスクドライブ（ＨＤＤ）２、ＣＰＵ（Central Processing Unit）３、データ変換部４、ローカルエリアネットワークインターフェース（ＬＡＮインターフェース）５、表示部６、及び操作部７が夫々バスライン８に接続されている。
ＩＰ電話部１は、インターネット等のＩＰネットワークを利用して音声情報の伝送を行う既存の装置であり、例えば図示しないマイクにより取り込んだアナログ音声信号をデジタル信号に変換（音声符号化）してＩＰパケット化した後、アナログ信号に変換し、変換した音声パケットをＡＤＳＬ回線等によりＩＰ電話事業者、ＩＰネットワーク上のルータを経由して伝送する。
ＨＤＤ２はＩＰ電話部１におけるパケット通信を記録して保存するための記憶媒体であり、例え使用者が操作部７を操作して自動通話保存機能をオンにしている場合、ＣＰＵ３が通話内容である音声パケットを、バスライン８を通してＨＤＤ２に保存する。またこの時、通話相手先のＩＰ電話番号と日時も同時に保存するようにしている。さらにＣＰＵ３はその保存内容に一切の偽造、捏造といった加工が施されないことを証明するデジタル署名を施すようにしている。またＣＰＵ３は保存データを暗号化してＩＰ電話装置がオンライン中に外部から何らかのハッキングを受けた場合でも情報が漏洩するのを防止するようにしている。
データ変換部４は、ＨＤＤ２に保存された音声パケットの音声情報を文字データに変換するデータ変換部であり、例えば有線/無線各種のＬＡＮインターフェース５を用いて接続先のプリンターに出力することができる。なお、ＩＰ電話部１にＬＡＮインターフェースが内蔵されている場合はそれを利用することが可能である。
表示部６はＨＤＤ２に保存した通話データに基づいて過去の通話内容を表示した通話者が閲覧できるようにしている。
操作部７には例えば通話者が自動通話保存機能をオン／オフしたり、表示部６に閲覧画面を表示したりするための操作ボタンが設けられている。
【０００７】
図２は、本実施形態のＩＰ電話装置が実行する処理を示したフローチャートである。
なお、図２に示す処理は、上記図１に示したＣＰＵ３が図示しないＲＯＭやＲＡＭなどに記憶されているプログラムを実行することにより実現されるものである。
この場合、ＩＰ電話部１により通話者が発信相手先にダイヤルすると（Ｓ１）、ＣＰＵ３は自動通話保存機能がオンであるか否か判断する（Ｓ２）。ＣＰＵ３は自動通話保存機能がオンであると判断した場合は、ＩＰ電話部１においてＩＰネットワークを介して送受信される音声パケットを時系列にＨＤＤ２に保存する（Ｓ３）。通話終了後（Ｓ４）、例えば通話相手先のＩＰ電話番号と日時をＨＤＤ２に保存し、ＣＰＵ３により保存データにデジタル署名を施した後（Ｓ５）、保存した保存データを暗号化して（Ｓ６）、処理を終えるようにしている。
このように本実施の形態のＩＰ電話装置においては、音声パケットを送受信した際に、通信内容、通話時間、及び通話相手の音声ログを含んだ音声通話データをＨＤＤ（保存手段）２に自動保存し、必要なときに保存したデータの内容を表示部（表示手段）６により表示して閲覧できるようにしているので、通話者間の会話内容の食い違いによる問題を解決することが出来る。
またＨＤＤ２に通話データを保存する際にＣＰＵ（デジタル署名付加手段）３により保存内容に改竄がないことを証明するデジタル署名を付加すれば、より確実に通話者間の会話内容の食い違いによる問題を解決することが出来る。
またＨＤＤ２に保存した通話データをＣＰＵ（暗号化手段）３により暗号化するようにしているので、外部からのハッキング行為等による保存データの漏洩を防止することが出来る。
またＨＤＤ２に保存した音声ログのデータをデータ変換部（データ変換手段）４により文字データに変換してＬＡＮインターフェース（出力手段）５を介して接続されているプリンターにより用紙に印刷して出力すれば、ＨＤＤ２の保存領域の確保及び通話内容を用紙により保存することができるようになる。
【図面の簡単な説明】
【０００８】
【図１】本発明の実施形態としてのＩＰ電話装置の構成を示した図である。
【図２】本実施形態のＩＰ電話装置が実行する処理を示したフローチャートである。
【符号の説明】
【０００９】
１  ＩＰ電話部、２  ＨＤＤ、３  ＣＰＵ、４  データ変換部、５  ＬＡＮインターフェース、６  表示部、７  操作部
【図１】
2006191321.tif 000003
【図２】
2006191321.tif 000004